(57)【要約】【課題】詰替容器内の内容物を容器内に容易かつ短時間で移し替えられる詰替容器を提供すること。【解決手段】内容物が充填される有底筒状の容器本体１１と、容器本体１１の上側部分２４内に配設されて容器本体１１を閉塞し、中心軸線Ｏに沿って容器本体１１に対してスライド移動可能な中栓部材１２と、中栓部材１２を中心軸線Ｏに沿ってスライド移動可能に支持する支持部材１３と、を備え、中栓部材１２には、内部と容器本体１１内とを連通可能で支持部材１３により開放可能に閉塞される開口部３５と、内容物が移し替えられる被詰替容器２の口部開口端２Ｂに当接するフランジ部３４と、が形成され、開口部３５が、中栓部材１２を中心軸線Ｏに沿って容器本体１１内に押し込むことで支持部材１３における中心軸線Ｏ方向に沿う容器本体１１の底部２１側の端縁を越えて容器本体１１内に開口し、中栓部材１２の内部と容器本体１１内とを連通する。【選択図】図２
2010076828.tif 000002
【特許請求の範囲】
【請求項１】
内容物が充填される有底筒状の容器本体と、
該容器本体の口部内に配設されて前記容器本体を閉塞し、容器軸に沿って前記容器本体に対してスライド移動可能な中栓部材と、
前記中栓部材を前記容器軸に沿ってスライド移動可能に支持する支持部と、を備え、
前記中栓部材には、内部と前記容器本体内とを連通可能で前記支持部により開放可能に閉塞される開口部と、前記内容物が移し替えられる被詰替容器の開口端に当接する当接部と、が形成され、
前記開口部が、前記中栓部材を前記容器軸に沿って前記容器本体内に押し込むことで前記支持部における前記容器軸方向に沿う前記容器本体の底部側の端縁を越えて前記容器本体内に開口し、前記中栓部材の内部と前記容器本体内とを連通することを特徴とする詰替容器。
【請求項２】
前記当接部が、前記中栓部材における前記容器本体の口部側の端縁よりも前記底部側に位置していることを特徴とする請求項１に記載の詰替容器。
【発明の詳細な説明】
【技術分野】
【０００１】
本発明は、詰替容器に関するものである。
【背景技術】
【０００２】
近年では、容器内の内容物を使い切った後に、容器を廃棄しないで詰替容器から内容物を容器内に移し替え、容器を引き続き使用する需要者が増えている。従来から、詰め替え時に内容物が容器の外側にこぼれ落ちたり、内容物が空気に触れることで例えば内容物の香りが散逸したり、あるいは内容物が吸湿したりするなどの問題が指摘されている。
このような問題を解決するための手段として、例えば詰替容器を気密性を有する袋体とすることで、内容物の詰め替えに際して容器内に内容物を詰替容器ごと収納することが提案されている（例えば、特許文献１参照）。
【特許文献１】特開２００６−１８８２６６号公報
【発明の開示】
【発明が解決しようとする課題】
【０００３】
しかしながら、上記従来の詰替容器においても、以下の課題が残されている。すなわち、容器内に内容物を詰替容器ごと収容すると、内容物を適量取り出すことが難しく、また容器が例えば透明な材質で形成されていると形状が保持されない袋体が容器の外側から透けて見えるために見栄えが悪くなり、さらに内容物の残量を確認することが困難であるという問題がある。
【０００４】
本発明は、前述の課題に鑑みてなされたもので、詰替容器内の内容物を容器内に容易かつ短時間で移し替えられる詰替容器を提供することを目的とする。
【課題を解決するための手段】
【０００５】
本発明は、上記のような課題を解決するために以下のような手段を採用した。すなわち、本発明の詰替容器は、内容物が充填される有底筒状の容器本体と、該容器本体の口部内に配設されて前記容器本体を閉塞し、容器軸に沿って前記容器本体に対してスライド移動可能な中栓部材と、前記中栓部材を前記容器軸に沿ってスライド移動可能に支持する支持部と、を備え、前記中栓部材には、内部と前記容器本体内とを連通可能で前記支持部により開放可能に閉塞される開口部と、前記内容物が移し替えられる被詰替容器の開口端に当接する当接部と、が形成され、前記開口部が、前記中栓部材を前記容器軸に沿って前記容器本体内に押し込むことで前記支持部における前記容器軸方向に沿う前記容器本体の底部側の端縁を越えて前記容器本体内に開口し、前記中栓部材の内部と前記容器本体内とを連通することを特徴とする。
【０００６】
この発明では、詰替容器を倒立姿勢にした状態で、中栓部材を容器軸に沿って容器本体に対して相対的に押し込んで容器本体内に向けてスライド移動させると、開口部が容器本体内に開口して容器本体内と中栓部材内とを連通し、内容物が開口部を介して被詰替容器内に移動する。すなわち、当接部を被詰替容器の開口端に当接させた状態で詰替容器を被詰替容器に対して押し込むと、中栓部材は、開口部と共に支持部に対して相対的に容器軸に沿って容器本体内に向けてスライド移動する。そして、開口部は、支持部における容器本体の底部側の端縁よりも押し込み方向に移動する。これにより、開口部は、支持部による閉塞状態から開放されて容器本体内に開口する。このように、詰替容器を被詰替容器に対して押し込むだけで被詰替容器の詰め替えが行えるため、詰替容器内の内容物を容易かつ短時間で移し替えることができる。
【０００７】
また、本発明の詰替容器は、前記当接部が、前記中栓部材における前記容器本体の口部側の端縁よりも前記底部側に位置していることが好ましい。
この発明では、当接部を被詰替容器の口部と当接させると、中栓部材の一部が被詰替容器の口部内に進入して配置されるため、被詰替容器の口部によって中栓部材の迅速な位置決めがなされると共に、内容物が移し替えられる際に外気との接触時間を短くすることができる。このため、内容物を移し替えるときに被詰替容器に対して詰替容器が位置ずれすることを防止すると共に、例えば内容物の香りが散逸したり、あるいは内容物が吸湿したりすることをより確実に防止できる。
【発明の効果】
【０００８】
この発明にかかる詰替容器によれば、詰替容器を被詰替容器に対して押し込んで中栓部材を介して詰替容器と被詰替容器とを連通させることで、容易かつ短時間で内容物を移し替えることができる。
【発明を実施するための最良の形態】
【０００９】
以下、本発明における詰替容器の一実施形態を、図面に基づいて説明する。なお、以下の説明に用いる各図面では、各部材を認識可能な大きさとするために縮尺を適宜変更している。
【００１０】
本発明における詰替容器１は、図１に示すように、例えばインスタントコーヒー粉末などの粉体である内容物が充填されて流通するものであって、図２に示すように、ユーザ（購入者）が購入して当該詰替容器１から例えばガラス瓶で形成された被詰替容器２に内容物を移し替えることができるものである。
詰替容器１は、図１に示されるように、容器本体１１、中栓部材１２及び支持部材（支持部）１３を備えている。
なお、容器本体１１、中栓部材１２及び支持部材１３は、それぞれの中心軸が共通軸上に位置している。以下、この共通軸を中心軸線（容器軸）Ｏと称する。また、本実施形態では、図１において中心軸線Ｏに沿って容器本体１１の開口端側を「上側」とし、その反対側を「下側」とする。さらに、本実施形態では、中心軸線Ｏと直交する方向を「径方向」とする。
【００１１】
容器本体１１は、中心軸線Ｏに沿って延びる有底円筒状をなし、容器開口端１１Ａにより上方に向けて開口する。また、容器本体１１は、図１に示すように、平面視円形の底部２１と、底部２１の外周縁から上方に向けて延在する胴部２２とを備えている。
胴部２２の中心軸線Ｏに沿う中央部分には、段差部２３が設けられている。そして、胴部２２において段差部２３よりも上方の上側部分（口部）２４は、段差部２３よりも下方の下側部分２５と比較して拡径している。また、胴部２２の上側部分２４の上端縁は、全周にわたって径方向外方に向けて突出しており、この突出部分の上面には、容器本体１１を封止するシール部材２６が貼付されている。
【００１２】
中栓部材１２は、中心軸線Ｏに沿って延びる有底円筒状をなし、栓開口端１２Ａにより上方に向けて開口する。そして、中栓部材１２は、容器本体１１の上側部分２４の径方向内方に配置されており、支持部材１３に対して中心軸線Ｏに沿ってスライド移動可能に嵌め込まれている。これにより、中栓部材１２は、胴部２２を閉塞する。また、中栓部材１２は、底面部３１、側壁部３２、折返部３３及びフランジ部（当接部）３４を備えている。
【００１３】
底面部３１は、下方に向けて突出して下方に向かうにしたがって漸次縮径する中空円錐体状をなしている。
側壁部３２は、中心軸線Ｏに沿って延びる円筒状をなしており、底面部３１の外周縁から上方に向けて延在する。また、側壁部３２には、中心軸線Ｏと平行な面に沿って延在する複数の開口部３５が周方向で間隔をあけて設けられている。
【００１４】
複数の開口部３５は、中栓部材１２の外部と内部とを連通可能とする。また、開口部３５は、側壁部３２の中心軸線Ｏに沿うほぼ全長にわたって形成されており、中心軸線Ｏに沿う長さが支持部材１３の後述する内壁部４２における中心軸線Ｏに沿う長さよりも長くなっている。
さらに、側壁部３２の中心軸線Ｏに沿う中央部分には、径方向外方に向けて突出する係止片３６が設けられている。なお、側壁部３２の中心軸線Ｏに沿う長さは、側壁部３２の上端縁が容器本体１１の容器開口端１１Ａよりも上方に突出しない程度となっている。
【００１５】
折返部３３は、ほぼ円筒状をなしており、側壁部３２の上端縁から径方向外方に向けて突出すると共にこの突出部分の外周縁から下方に向けて折り返されている。また、折返部３３の外径は、被詰替容器２の口部２Ａの内径よりも小さくなっているが、折返部３３の外径を被詰替容器２の口部２Ａの内径と同等にしてもよい。
フランジ部３４は、円環状をなしており、折返部３３の下端縁から径方向外方に向けて突出している。また、フランジ部３４の外径は、被詰替容器２の口部２Ａの外径よりも大きくなっている。
【００１６】
支持部材１３は、中心軸線Ｏに沿って延びるほぼ円筒状をなし、外壁部４１、内壁部４２及び接続部４３を備えている。
外壁部４１は、円筒状をなしており、外径が胴部２２の上側部分２４の内径と同等となっている。また、外壁部４１の中心軸線Ｏに沿う長さは、上側部分２４の中心軸線Ｏに沿う長さと同等となっている。そして、外壁部４１は、胴部２２の上側部分２４に嵌め込まれており、その下端縁が胴部２２の段差部２３と当接している。
【００１７】
内壁部４２は、円筒状をなしており、外径が外壁部４１よりも小さく内径が中栓部材１２の側壁部３２の外径と同等となっている。また、内壁部４２の中心軸線Ｏに沿う長さは、中栓部材１２の側壁部３２の下端縁から係止片３６までの長さと同等となっている。これにより、中栓部材１２は、内壁部４２の上端縁が係止片３６と当接して係止されるようにして内壁部４２に嵌め込まれる。また、内壁部４２は、内壁部４２の上端縁が係止片３６と係止している状態において、側壁部３２に形成されている開口部３５による容器本体１１内と中栓部材１２内との連通を閉塞する。このとき、開口部３５は、容器本体１１の下側部分２５の内部と連通していない。
接続部４３は、上方に向かうにしたがって漸次縮径する中空円錐台状をなしており、外壁部４１の端縁と内壁部４２の下端縁とを接続している。また、接続部４３は、内壁部４２の上端縁が係止片３６と係止している状態において、底面部３１と共に容器本体１１を閉塞する。
【００１８】
次に、以上のような構成の詰替容器１を用いた被詰替容器２への内容物の詰め替え方法について説明する。
まず、シール部材２６を剥がす。そして、図２に示すように、詰替容器１を倒立姿勢にし、詰替容器１の中心軸線Ｏと被詰替容器２の容器軸とがほぼ一致するように、中栓部材１２を被詰替容器２の口部２Ａ内に配置する。このとき、中栓部材１２のフランジ部３４は、口部２Ａの口部開口端（開口端）２Ｂと当接する。また、折返部３３の外径が口部２Ａの内径よりも小さく、中栓部材１２が口部２Ａ内に進入して配置されるため、中栓部材１２を口部２Ａに対して安定して位置決めすることができる。
【００１９】
この状態で、詰替容器１を被詰替容器２に向けて中心軸線Ｏに沿って押し込むと、フランジ部３４が被詰替容器２の口部２Ａに当接していることから、中栓部材１２は、詰替容器１に対して相対的に中心軸線Ｏに沿って容器本体１１の内方に押し込まれようとする。そして、この押し込む力が中栓部材１２に伝達することで、係止片３６と内壁部４２の栓開口端１２Ａ側の端縁との係合状態が解除される。これにより、内壁部４２が係止片３６を乗り越え、中栓部材１２の側壁部３２は、支持部材１３の内壁部４２に対して中心軸線Ｏに沿って容器本体１１の内方に向けてスライド移動する。そして、中栓部材１２は、中心軸線Ｏに沿って容器本体１１の内方に向けて押し込まれる。
ここで、外壁部４１の底部２１側の端縁が胴部２２の段差部２３と当接しているため、上記押し込む力が中栓部材１２を介して支持部材１３に伝達しても、支持部材１３は、中栓部材１２と共に胴部２２に対して中心軸線Ｏに沿って容器本体１１の内方に向けてスライド移動しない。
【００２０】
そして、中栓部材１２を容器本体１１の内方に向けてさらに押し込んでいくと、内壁部４２の栓開口端１２Ａ側の端縁が折返部３３における径方向外方に向けて突出する部分と当接すると共に、内壁部４２の一部が折返部３３と側壁部３２との間の空隙に収容される。このとき、内壁部４２と折返部３３との間に形成される間隙と前記折返部３３における径方向外方に向けて突出する部分に形成された開口部３５の一部とによって、外気との連通路が形成されてもよい。また、内壁部４２の全体が係止片３６を乗り越えることで、内壁部４２における接続部４３と接続する端縁が係止片３６と係合する。これにより、中栓部材１２が支持部材１３に対して中心軸線Ｏに沿って容器本体１１の外方に向けてスライド移動しない。
【００２１】
このように、中栓部材１２を中心軸線Ｏに沿って容器本体１１の内方に押し込むと、開口部３５は、内壁部４２の底部２１側の端縁を越えて容器本体１１の下側部分２５の内部に向けて開口する。これにより、開口部３５は、容器本体１１の下側部分２５の内部と被詰替容器２とを連通する。容器本体１１の内部に充填されている内容物は、開口部３５及び中栓部材１２の内部を通って被詰替容器２内に注ぎ込まれる。このとき、中栓部材１２のフランジ部３４が中栓部材１２の栓開口端１２Ａよりも中心軸線Ｏに沿って底面部３１側に後退した位置にあって中栓部材１２が口部２Ａ内に進入しているため、安定した姿勢で、速やかな詰め替えが達成される。また、例えば、内壁部４２の外面と折返部３３の内面とを気密摺動可能に構成した場合などには、詰め替え時における外気と内容物との接触を効果的に抑制することができる。
以上のようにして、詰替容器１を用いて被詰替容器２に内容物を詰め替える。
【００２２】
本実施形態における詰替容器１では、詰替容器１を被詰替容器２に対して押し込んで中栓部材１２を介して詰替容器１と被詰替容器２とを連通させることで、容易かつ短時間で内容物を被詰替容器２に移し替えることができる。
また、詰替容器１では、中栓部材１２のフランジ部３４を栓開口端１２Ａよりも下方に形成することで、詰替容器１を被詰替容器２の口部２Ａに配置したときに中栓部材１２が口部２Ａ内に進入する。そのため、詰替容器１では、短時間で内容物を被詰替容器２に移し替えることができ、例えば内容物の香りが散逸したり、あるいは内容物が吸湿したりすることをより確実に防止できる。
さらに、詰替容器１では、支持部材１３が中栓部材１２と共に胴部２２に対して中心軸線Ｏに沿ってスライド移動しないため、支持部材１３を胴部２２に例えば接着するなど固定する必要がなくなる。そのため、詰替容器１では、詰替容器１を用いた被詰替容器２への内容物の詰め替え後に支持部材１３を容器本体１１から容易に分離することができる。したがって、詰替容器１の分解が容易になって内容物を移し替えた後の詰替容器１の分別が容易になる。
【００２３】
なお、本発明は上記実施形態に限定されるものではなく、本発明の趣旨を逸脱しない範囲において種々の変更を加えることができる。
例えば、フランジ部は、中栓部材の上端縁よりも下方に後退して位置しているが、上端縁に形成されていてもよい。
開口部は、側壁部の中心軸線に沿うほぼ全長にわたって形成されているが、中栓部材を容器本体の内方に押し込む前において中栓部材が容器本体を閉塞すると共に中栓部材を押し込んだ後に中栓部材が容器本体の内部と被詰替容器とを連通できれば、他の形状であってもよい。
中栓部材は、開口端を有するほぼ有底円筒状をなしているが、中栓部材を押し込んだ後に容器本体の内部と被詰替容器との連通がなされれば、上端が開口していない形状など、他の形状であってもよい。
容器本体と支持部材とは、別部材として形成されているが、支持部材が中栓部材と共に中心軸線に沿ってスライド移動されなければよく、一体に形成されてもよい。
シール部材は、中栓部材を押し込む前において中栓部材が容器本体を閉塞するため、設けられていなくてもよい。
中栓部材は、上端が容器本体の開口端から上方に突出しないように配置されているが、中栓部材を押し込む前において中栓部材が容器本体を閉塞しているため、上端が容器本体の開口端から上方に突出するように配置されてもよい。
詰替容器を用いた詰め替え方法は、詰替容器を被詰替容器に対して押し込む方法に限らず、あらかじめ中栓部材を容器本体に対して相対的にスライド移動させて押し込むことで中栓部材と容器本体とを連通させた後に詰替容器を倒立姿勢で被詰替容器の口部に配置する方法であってもよい。
詰替容器内に充填される内容物は、粉体に限られない。
【産業上の利用可能性】
【００２４】
この発明によれば、詰替容器内の内容物を容器内に容易かつ短時間で移し替えられる詰替容器に関して、産業上の利用可能性が認められる。
【図面の簡単な説明】
【００２５】
【図１】本発明の一実施形態における詰替容器を示す軸方向断面図である。
【図２】図１に示す詰替容器を用いた被詰替容器の詰め替え方法を説明する説明図である。
【符号の説明】
【００２６】
１  詰替容器、２  被詰替容器、２Ｂ  口部開口端（開口端）、１１  容器本体、１２  中栓部材、１３  支持部材（支持部）、２１  底部、２４  上側部分（詰替容器の口部）、３４  フランジ部（当接部）、３５  開口部、Ｏ  中心軸線（容器軸）
【図１】
2010076828.tif 000003
【図２】
2010076828.tif 000004